(57)【要約】      （修正有）【課題】端子とプロセッサモジュールとの間の電気接触性能を改善する端子構造を提供する。【解決手段】端子１００は、１対の弾性ビーム１１０、１２０と、１対の弾性ビームのそれぞれの一方の端部に接続されたコンタクト部分１５０とを含む。１対の弾性ビームの一方は、第１の方向に向かって屈曲する第１の屈曲部分を含み、１対の弾性ビームの他方は、第１の方向とは反対の第２の方向に向かって屈曲する第２の屈曲部分を含む。１対の弾性ビームの一方の屈曲強度は、１対の弾性ビームの他方の屈曲強度より弱く、その結果、接触圧力がコンタクト部分上へ端子の長手方向に印加されたとき、端子のコンタクト部分は、より弱い屈曲強度を有する弾性ビームが位置する一方の側の方へ偏向する。したがって、端子は、プロセッサモジュールに垂直方向に接触し、プロセッサモジュール上の電気コンタクト部分を効果的にこすることができる。【選択図】図１
2019192443.tif 000002
【特許請求の範囲】
【請求項１】
１対の弾性ビーム（１１０、１２０）と、
前記１対の弾性ビーム（１１０、１２０）のそれぞれの一方の端部に接続されたコンタクト部分（１５０）とを備え、
前記１対の弾性ビーム（１１０、１２０）の一方は、第１の方向に向かって屈曲する第１の屈曲部分を備え、前記１対の弾性ビーム（１１０、１２０）の他方は、前記第１の方向とは反対の第２の方向に向かって屈曲する前記第１の屈曲部分に対応する第２の屈曲部分を備えている、
端子。
【請求項２】
前記１対の弾性ビーム（１１０、１２０）の一方の屈曲強度は、前記弾性ビームの他方の屈曲強度より弱く、その結果、接触圧力（Ｆ）が前記コンタクト部分（１５０）上へ前記端子（１００）の長手方向（Ｚ）に印加されたとき、前記端子（１００）の前記コンタクト部分（１５０）は、より弱い屈曲強度を有する前記弾性ビームが位置する一方の側の方へ偏向する、
請求項１に記載の端子。
【請求項３】
前記一方の弾性ビームの前記屈曲強度を前記他方の弾性ビームの前記屈曲強度より弱くすることは、前記一方の弾性ビームの幅または厚さを低減させることによって実現される、請求項２に記載の端子。
【請求項４】
制限部分（１４０）をさらに含み、前記制限部分（１４０）の一方の側が、前記１対の弾性アーム（１１０、１２０）のそれぞれの前記一方の端部に接続され、
前記コンタクト部分（１５０）は、前記１対の弾性ビーム（１１０、１２０）とは反対の前記制限部分（１４０）の前記他方の側に接続されている、請求項２に記載の端子。
【請求項５】
接触圧力（Ｆ）が前記コンタクト部分（１５０）上へ前記長手方向（Ｚ）に印加されたとき、前記端子（１００）の前記制限部分（１４０）および前記コンタクト部分（１５０）は、より弱い屈曲強度を有する前記弾性ビーム（１１０）が位置する一方の側の方へともに動き、かつ偏向する、
請求項４に記載の端子。
【請求項６】
固定部分（１３０）をさらに含み、前記固定部分（１３０）の一方の側が、前記１対の弾性アーム（１１０、１２０）のそれぞれの前記他方の端部に接続されている、請求項１から５のいずれか一項に記載の端子。
【請求項７】
前記固定部分（１３０）の他方の側に接続された溶接部分（１７０）をさらに含んでいる、請求項６に記載の端子。
【請求項８】
前記溶接部分（１７０）は、接続ビーム（１６０）を介して前記固定部分（１３０）に接続されている、
請求項７に記載の端子。
【請求項９】
前記１対の弾性ビーム（１１０、１２０）は、互いに隔置されている、
請求項１に記載の端子。
【請求項１０】
本体（２００）と、
前記本体（２００）内に保持された請求項１に記載の少なくとも１つの端子（１００）と
を備えているコネクタ。
【請求項１１】
前記本体（２００）内に収容キャビティ（２１０）が形成され、前記収容キャビティ（２１０）内に前記端子（１００）の前記１対の弾性ビーム（１１０、１２０）が収納されている、
請求項１０に記載のコネクタ。
【請求項１２】
前記端子（１００）は、制限部分（１４０）をさらに含み、前記制限部分（１４０）の一方の側が、前記１対の弾性アーム（１１０、１２０）のそれぞれの前記一方の端部に接続され、
前記コンタクト部分（１５０）は、前記１対の弾性ビーム（１１０、１２０）とは反対の前記制限部分（１４０）の他方の側に接続されている、請求項１１に記載のコネクタ。
【請求項１３】
前記本体（２００）の上部に制限孔（２１１）が形成され、前記制限孔（２１１）内に前記端子（１００）の前記制限部分（１４０）が収納され、前記端子（１００）の前記コンタクト部分（１５０）は、前記制限孔（２１１）を介して前記本体（２００）の外側に突出し、
前記制限孔（２１１）は、前記端子（１００）の前記コンタクト部分（１５０）が所定の範囲内で偏向するように、前記制限部分（１４０）および前記制限部分（１４０）に接続された前記コンタクト部分（１５０）の偏向距離を画定するように構成されている、
請求項１２に記載のコネクタ。
【請求項１４】
前記制限孔（２１１）は、前記制限部分（１４０）の一方の側に位置する第１の側壁（２１１ａ）と、前記制限部分（１４０）の他方の側に位置する第２の側壁（２１１ｂ）とを有し、
前記第１の側壁（２１１ａ）は、第１の位置で前記制限部分（１４０）を画定するように適合され、前記第２の側壁（２１１ｂ）は、第２の位置で前記制限部分（１４０）を画定するように適合され、それにより前記制限部分（１４０）は、前記第１の位置と前記第２の位置との間で可動かつ偏向可能である、
請求項１３に記載のコネクタ。
【請求項１５】
前記端子（１００）は、固定部分（１３０）をさらに含み、前記固定部分（１３０）の一方の側が、前記１対の弾性アーム（１１０、１２０）のそれぞれの前記他方の端部に接続されている、
請求項１３に記載のコネクタ。
【請求項１６】
前記端子（１００）の前記固定部分（１３０）は、前記本体（２００）内に固定されている、
請求項１５に記載のコネクタ。
【請求項１７】
前記端子（１００）は、前記固定部分（１３０）の他方の側に接続された溶接部分（１７０）をさらに含んでいる、
請求項１５に記載のコネクタ。
【請求項１８】
前記端子（１００）の前記溶接部分（１７０）は、前記本体（２００）の底部から露出されている、請求項１７に記載のコネクタ。
【発明の詳細な説明】
【技術分野】
【０００１】
本発明は、端子および端子を含むコネクタに関する。
【背景技術】
【０００２】
ＣＰＵ用の既存の弾性端子は、概して、カンチレバービームを用いて設計されており、２つの弾性端子間の間隔は比較的大きく、これらの弾性端子を所定のパターンで配置する必要があり、その結果、弾性端子のためのはんだボールを任意に配置することができない。
【０００３】
従来技術では、弾性端子間のピッチを低減させ、弾性端子のレイアウトの柔軟性を改善するために、ポゴピン弾性端子が提案されている。ポゴピン弾性端子は、回路基板に垂直方向に接触させることができる。したがって、ポゴピン弾性端子間の間隔を小さくすることができ、ポゴピン弾性端子を所定のパターンに応じて配置することは不要であり、弾性端子のレイアウトの柔軟性が改善される。
【０００４】
しかし、従来のポゴピン弾性端子は、回路基板に直交する方向にのみ動くように構築され、したがって回路基板上に設けられた電気コンタクト（たとえば、金のフィンガ）を効果的にこすることができず、ポゴピン弾性端子と回路基板上の金のフィンガとの間の電気接触性能が低減される。
【０００５】
加えて、従来のポゴピン弾性端子は、概して、スリーブと、スリーブ内に収納されたばねと、スリーブ内に取り付けられた押し棒とを含み、ばねが押し棒を押し付ける。したがって、そのようなポゴピン弾性端子は、非常に複雑な構造を有し、製造するのが困難であり、したがってそのコストは比較的高い。
【発明の概要】
【発明が解決しようとする課題】
【０００６】
本発明の実施形態は、前述した欠点の少なくとも１つの態様を克服または軽減するためになされたものである。
【課題を解決するための手段】
【０００７】
本発明の少なくとも１つの実施形態は、プロセッサモジュールに垂直方向に接触することができる端子を提供する。
【０００８】
本発明の少なくとも１つの実施形態は、プロセッサモジュールに垂直方向に接触し、プロセッサモジュール上の電気コンタクトを効果的にこすることができる端子を提供し、端子とプロセッサモジュールとの間の電気接触性能を改善する。
【０００９】
本発明の一態様によれば、１対の弾性ビームと、１対の弾性ビームのそれぞれの一方の端部に接続されたコンタクト部分とを備える端子が提供される。１対の弾性ビームの一方は、第１の方向に向かって屈曲する第１の屈曲部分を含み、１対の弾性ビームの他方は、第１の方向とは反対の第２の方向に向かって屈曲する第２の屈曲部分を含む。
【００１０】
本発明の一実施形態によれば、１対の弾性ビームの一方の屈曲強度は、弾性ビームの他方の屈曲強度より弱く、その結果、接触圧力がコンタクト部分上へ端子の長手方向に印加されたとき、端子のコンタクト部分は、より弱い屈曲強度を有する弾性ビームが位置する一方の側の方へ偏向する。
【００１１】
本発明の別の実施形態によれば、前記一方の弾性ビームの屈曲強度を他方の弾性ビームの屈曲強度より弱くすることは、前記一方の弾性ビームの幅または厚さを低減させることによって実現される。
【００１２】
本発明の別の実施形態によれば、１対の弾性ビームは、接触圧力がコンタクト部分に印加されていないとき、それぞれ２つの反対方向に向かって屈曲している。
【００１３】
本発明の別の実施形態によれば、端子は、制限部分をさらに含み、制限部分の一方の側が、１対の弾性アームのそれぞれの一方の端部に接続され、コンタクト部分は、１対の弾性ビームとは反対の制限部分の他方の側に接続される。
【００１４】
本発明の別の実施形態によれば、接触圧力がコンタクト部分上へ長手方向に印加されたとき、端子の制限部分およびコンタクト部分は、より弱い屈曲強度を有する弾性ビームが位置する一方の側の方へともに動き、かつ偏向する。
【００１５】
本発明の別の実施形態によれば、端子は、固定部分をさらに含み、固定部分の一方の側が、１対の弾性アームのそれぞれの他方の端部に接続される。
【００１６】
本発明の別の実施形態によれば、端子は、固定部分の他方の側に接続された溶接部分をさらに含む。
【００１７】
本発明の別の実施形態によれば、溶接部分は、接続ビームを介して固定部分に接続される。
【００１８】
本発明の別の実施形態によれば、１対の弾性ビームは、互いに隔置される。
【００１９】
本発明の一態様によれば、本体と、前記本体内に保持された上述した少なくとも１つの端子とを備えるコネクタが提供される。
【００２０】
本発明の一実施形態によれば、本体内に収容キャビティが形成され、収容キャビティ内に端子の１対の弾性ビームが収納される。
【００２１】
本発明の別の実施形態によれば、端子は、制限部分をさらに含み、制限部分の一方の側が、１対の弾性アームのそれぞれの一方の端部に接続され、コンタクト部分は、１対の弾性ビームとは反対の制限部分の他方の側に接続される。
【００２２】
本発明の別の実施形態によれば、本体の上部に制限孔が形成され、制限孔内に端子の制限部分が収納され、端子のコンタクト部分は、制限孔を介して本体の外側に突出し、制限孔は、端子のコンタクト部分が所定の範囲内で偏向するように、制限部分および制限部分に接続されたコンタクト部分の偏向距離を画定するように構成される。
【００２３】
本発明の別の実施形態によれば、制限孔は、制限部分の一方の側に位置する第１の側壁と、制限部分の他方の側に位置する第２の側壁とを有し、第１の側壁は、第１の位置で制限部分を画定するように適合され、第２の側壁は、第２の位置で制限部分を画定するように適合され、それにより制限部分は、第１の位置と第２の位置との間で可動かつ偏向可能である。
【００２４】
本発明の別の実施形態によれば、端子は、固定部分をさらに含み、固定部分の一方の側が、１対の弾性アームのそれぞれの他方の端部に接続される。
【００２５】
本発明の別の実施形態によれば、端子の固定部分は、本体内に固定される。
【００２６】
本発明の別の実施形態によれば、端子は、固定部分の他方の側に接続された溶接部分をさらに含む。
【００２７】
本発明の別の実施形態によれば、端子の溶接部分は、本体の底部から露出される。
【００２８】
本発明による実施形態では、端子の１対の弾性ビームの一方の屈曲強度は、１対の弾性ビームの他方の屈曲強度より弱い。したがって、接触圧力がコンタクト部分へ端子の長手方向に印加されたとき、端子のコンタクト部分は、より弱い屈曲強度を有する弾性ビームが位置する一方の側の方へ偏向する。したがって、本発明の実施形態の端子は、プロセッサモジュールに垂直方向に接触し、プロセッサモジュール上の電気コンタクト部分を効果的にこすることができ、端子とプロセッサモジュールとの間の電気接触性能を改善する。
【００２９】
本発明の上記その他の特徴は、本発明の例示的な実施形態について添付の図面を参照しながら詳細に説明することによって、より明らかになるであろう。
【図面の簡単な説明】
【００３０】
【図１】本発明の例示的な実施形態による端子の概略斜視図である。
【図２】図１に示す端子の側面図である。
【図３】接触圧力が図１に示す端子のコンタクト部分に印加されたときの概略図である。
【図４】本発明の例示的な実施形態によるコネクタの概略斜視図である。
【図５】コネクタの本体が中の端子を露出させるように部分的に取り除かれている、図４に示すコネクタの概略斜視図である。
【図６】端子の制限部分およびコンタクト部分が第１の位置にある、図４に示すコネクタの制限孔および端子を示す上面図である。
【図７】端子の制限部分およびコンタクト部分が第１の位置から第２の位置へ偏向している、図４に示すコネクタの制限孔および端子を示す上面図である。
【図８】本発明の別の例示的な実施形態による端子の概略斜視図である。
【発明を実施するための形態】
【００３１】
本発明の技術的な解決策について、添付の図面と併せて以下の実施形態を参照しながらさらに詳細に説明する。本明細書では、同じまたは類似の参照番号は、同じまたは類似の部分を指す。添付の図面を参照する本発明の実施形態の以下の説明は、本発明の一般概念について説明することを意図するものであり、本発明を限定すると解釈されるべきではない。
【００３２】
加えて、以下の詳細な説明では、本開示の実施形態の徹底的な理解を提供するための説明を容易にするために、多数の具体的な詳細について記載する。しかし、これらの具体的な詳細がなくても、１つまたは複数の実施形態をやはり実行することができることが明らかであろう。他の例では、よく知られている構造およびデバイスは、図面を簡略化するために、例示を目的として示されている。
【００３３】
本発明の一般概念によれば、１対の弾性ビームと、１対の弾性ビームの一方の端部に接続されたコンタクト部分とを備える端子が提供される。１対の弾性ビームの一方は、第１の方向に向かって屈曲する第１の屈曲部分を含み、１対の弾性ビームの他方は、第１の方向とは反対の第２の方向に向かって屈曲する第１の屈曲部分に対応する第２の屈曲部分を含む。
【００３４】
図１〜３に示すように、図示の実施形態では、端子１００は、単一の金属板を一体で打ち抜いて曲げることによって形成され、主に、１対の弾性ビーム１１０、１２０と、１対の弾性ビーム１１０、１２０の一方の端部に接続されたコンタクト部分１５０とを備える。接触圧力がコンタクト部分１５０に印加されていないとき、１対の弾性ビーム１１０、１２０は、それぞれ２つの反対方向に向かって屈曲する初期状態にあり、互いに離れる方へ突出する。たとえば、図示の実施形態では、１対の弾性ビーム１１０、１２０の一方は、第１の方向に向かって屈曲する第１の屈曲部分を含み、１対の弾性ビーム１１０、１２０の他方は、第１の方向とは反対の第２の方向に向かって屈曲する第１の屈曲部分に対応する第２の屈曲部分を含む。
【００３５】
本発明の一実施形態では、１対の弾性ビーム１１０、１２０の一方の屈曲強度は、弾性ビーム１２０の他方の屈曲強度より弱く、その結果、接触圧力Ｆがコンタクト部分１５０上へ端子１００の長手方向Ｚに印加されたとき、端子１００のコンタクト部分１５０は、より弱い屈曲強度を有する弾性ビーム１１０が位置する一方の側の方へ偏向する。
【００３６】
本発明の一実施形態では、弾性ビーム１１０の幅は、弾性ビーム１１０の屈曲強度が弾性ビーム１２０の屈曲強度より弱くなるように弾性ビーム１２０の幅より小さい。
【００３７】
本発明の別の実施形態では、弾性ビーム１１０の屈曲部分の厚さは、弾性ビーム１２０の屈曲部分の厚さより小さく、その結果、弾性ビーム１１０の屈曲強度は、弾性ビーム１２０の屈曲強度より弱くなる。
【００３８】
本発明の別の実施形態では、弾性ビーム１１０の形状は、弾性ビーム１２０の形状とは異なることができ、その結果、弾性ビーム１１０の屈曲強度は、弾性ビーム１２０の屈曲強度より弱くなる。たとえば、弾性ビーム１１０の屈曲部分の曲率は、弾性ビーム１２０の屈曲部分の曲率より大きく、その結果、弾性ビーム１１０の屈曲強度は、弾性ビーム１２０の屈曲強度より弱くなる。
【００３９】
本発明の別の実施形態では、弾性ビーム１１０および弾性ビーム１２０の幅、厚さ、および形状を同じにすることもできるが、その強度を低減させるいくつかの構造上の特徴を弾性ビーム１１０上に形成することができ、たとえば、開口、貫通孔、局部的な凹部などを弾性ビーム１１０内に形成することができ、これらの構造上の特徴によって、弾性ビーム１１０の屈曲強度を弾性ビーム１２０の屈曲強度より弱くすることもできる。
【００４０】
図８に示すように、図示の実施形態では、弾性ビーム１１０内に細長い開口１１１を形成することによって、弾性ビーム１１０の屈曲強度は、弾性ビーム１２０の屈曲強度より弱くなる。
【００４１】
弾性ビーム１１０の屈曲強度が弾性ビーム１２０の屈曲強度より弱くなるいくつかの具体的な実施形態を本明細書に挙げるが、本発明は、それに限定されるものではなく、弾性ビーム１１０の屈曲強度が弾性ビーム１２０の屈曲強度より弱くなるような他のやり方を使用することもできることに留意されたい。本発明の別の実施形態によれば、弾性ビーム１１０、１２０はまた、それぞれ２つの反対方向に屈曲する複数の屈曲部分を含むことができ、たとえば、弾性ビーム１１０、１２０は、それぞれ略「Ｓ」字状の２つの屈曲部分を備えることができ、弾性ビーム１２０上の屈曲部分は、弾性ビーム１１０上のそれぞれの屈曲部分と比較して反対方向に延びることが、当業者には理解されよう。
【００４２】
図１〜３に示すように、端子１００は、制限部分１４０をさらに含み、制限部分１４０の一方の側が、１対の弾性ビーム１１０および１２０のそれぞれの一方の端部に接続され、コンタクト部分１５０は、１対の弾性ビーム１１０、１２０とは反対の制限部分１４０の他方の側に接続される。
【００４３】
端子１００の制限部分１４０は、後述するように、端子１００のコンタクト部分１５０が所定の範囲内で偏向するように、端子１００のコンタクト部分１５０の偏向距離を制限する本体２００の制限孔２１１に係合される。このようにして、端子１００のコンタクト部分１５０は、所定の接触区域を外れて偏向することが防止される。
【００４４】
図１〜３に示すように、図示の実施形態では、接触圧力Ｆがコンタクト部分１５０へ長手方向Ｚに印加されたとき、端子１００の制限部分１４０およびコンタクト部分１５０は、より弱い屈曲強度を有する弾性ビーム１１０が位置する一方の側の方へともに動き、かつ偏向する。
【００４５】
図１〜３に示すように、図示の実施形態では、端子１００は、固定部分１３０をさらに含み、固定部分１３０の一方の側に、１対の弾性ビーム１１０、１２０のそれぞれの他方の端部がそれぞれ接続される。
【００４６】
図１〜３に示すように、図示の実施形態では、端子１００は、１対の弾性ビーム１１０、１２０の反対で固定部分１３０の他方の側に接続された溶接部分１７０をさらに含む。
【００４７】
図１〜３に示すように、図示の実施形態では、溶接部分１７０は、接続ビーム１６０を介して固定部分１３０に接続される。１対の弾性ビーム１１０、１２０は、互いに隔置される。
【００４８】
図４および図５に示すように、図示の実施形態では、コネクタは主に、本体２００と、本体２００内に保持された図１に示す少なくとも１つの端子１００とを備える。本体２００内に収容キャビティ２１０が形成され、収容キャビティ２１０内に端子１００の１対の弾性ビーム１１０、１２０が収容される。
【００４９】
本体２００の上部に制限孔２１１が形成され、制限孔２１１内に端子１００の制限部分１４０が収納され、端子１００のコンタクト部分１５０は、制限孔２１１を介して本体２００の外側に突出する。制限孔２１１は、端子１００のコンタクト部分１５０が所定の範囲内で偏向するように、制限部分１４０および制限部分１４０に接続されたコンタクト部分１５０の偏向距離を画定するように構築される。
【００５０】
図６は、端子１００の制限部分１４０およびコンタクト部分１５０が第１の位置にある、図４に示すコネクタの端子１００および制限孔２１１を示す上面図であり、図７は、端子１００の制限部分１４０およびコンタクト部分１５０が第１の位置から第２の位置へ偏向している、図４に示すコネクタの制限孔２１１および端子１００を示す上面図である。
【００５１】
図６および図７に示すように、図示の実施形態では、制限孔２１１は、制限部分１４０の一方の側に位置する第１の側壁２１１ａと、一方の側とは反対の制限部分１４０の他方の側に位置する第２の側壁２１１ｂとを有する。第１の側壁２１１ａは、第１の位置（この時点では接触圧力が端子１００のコンタクト部分１５０へ印加されていない初期位置）で制限部分１４０を画定するように適合され、第２の側壁２１１ｂは、第２の位置（最大の偏向位置）で制限部分１４０を画定するように適合される。このようにして、制限部分１４０は、第１の位置と第２の位置との間で偏向することができる。
【００５２】
図５に示すように、図示の実施形態では、端子１００の固定部分１３０は、本体２００内に固定される。端子１００の溶接部分１７０は、本体２００の底部から露出される。
【００５３】
コネクタが相手側コネクタ、たとえば回路基板に電気的に接続されている間、相手側コネクタの相手側端子、たとえば回路基板上の電気コンタクト部分は、端子１００のコンタクト部分１５０の端部（図１および図２の上端）上へ長手方向Ｚに接触圧力Ｆを印加し、制限部分１４０およびコンタクト部分１５０は、より弱い屈曲強度を有する弾性ビーム１１０が位置する一方の側の方へともに動き、かつ偏向する。このようにして、コンタクト部分１５０の端部は、相手側コネクタの相手側端子に対して動かされ、相手側コネクタの相手側端子上に引っ掻きを提供し、相手側コネクタの相手側端子とコネクタの端子との間に確実な電気接触を実現する。
【００５４】
上述した実施形態は例示的であり、構造上または原理上の態様に関して矛盾することなく、当業者であればこれらの実施形態に改善を加えることができ、様々な実施形態に記載の構造を自由に組み合わせることができることが、当業者には理解されよう。
【００５５】
本発明について、添付の図面を参照して説明したが、図面に開示する実施形態は、本発明の好ましい実施形態の例示であることを意図するものであり、本発明を限定すると解釈されるべきではない。
【００５６】
本発明の一般概念のいくつかの実施形態について図示および説明したが、本発明の一般概念の原理および精神から逸脱することなく、これらの実施形態に変更を加えることができ、本発明の範囲は、特許請求の範囲およびその均等物によって定義されることが、当業者には理解されよう。
【００５７】
「含まれる（ｉｎｃｌｕｄｅｄ）」という表現は、他の要素またはステップを除外するものではなく、「１つ（ｏｎｅ）」または「ａ」という表現は、複数を除外するものではないことに留意されたい。加えて、特許請求の範囲のいかなる要素の標示も、本発明の範囲を限定すると解釈されるべきではない。
【図１】
2019192443.tif 000003
【図２】
2019192443.tif 000004
【図３】
2019192443.tif 000005
【図４】
2019192443.tif 000006
【図５】
2019192443.tif 000007
【図６】
2019192443.tif 000008
【図７】
2019192443.tif 000009
【図８】
2019192443.tif 000010
【外国語明細書】
2019192443000001.pdf